(57)【特許請求の範囲】
【請求項１】
導電材料からなり、ランプピンと接触してこれを係止するランプピン接触部を有する一対の接触片と、該接触片を収納した本体とを備え、前記接触片を帯状部材により構成して両接触片の面部同士が対向するように前記本体内に配設し、それぞれの接触片の面と直交する方向にバネ力を付与して、前記ランプピン接触部により前記ランプピンを係止するようにした蛍光灯ソケットであって、
前記接触片を構成する帯状部材の長手方向の一方の側に幅広部を設け、該幅広部の両側から前記帯状部材の面に対してほぼ直角に折り曲げた折り曲げ片を形成し、該折曲げ片の長手方向のほぼ中央部であって前記一対の接触片の面部同士が対向する側に、半円状に切り欠いたランプピン係止部を設けて前記ランプピン接触部を形成し、
ランプを回転させて装着するときに、前記ランプを回転中は前記ランプピンがランプピン接触部を押圧し、前記ランプを所定位置まで回転させたときに前記ランプピンが前記ランプピン接触部のランプピン係止部に係合し、前記帯状部材の弾性力によって前記ランプピン接触部を前記ランプピンに接触させるようにしたことを特徴とする蛍光灯ソケット。
【請求項２】
前記接触片を構成する帯状部材の長手方向の一方の側に幅広部を設け、該幅広部を帯状部材の面に対してほぼ直角に折り曲げたのちさらに内側に折り曲げてＬ字状の折曲げ片を形成し、該折曲げ片の長手方向のほぼ中央部であって前記一対の接触片の面部同士が対向する側にランプピン係止部を設けてランプピン接触部を形成し、
前記ランプピン係止部は、前記折曲げ片の帯状部材の面に対してほぼ直角に折り曲げた部分に設けた半円状の切り欠き部と、前記さらに内側に折り曲げた部分に設けた前記切り欠き部に連続する開口部とによって形成され、
ランプを回転させて装着するときに、前記ランプを回転中は前記ランプピンがランプピン接触部を押圧し、前記ランプを所定位置まで回転させたときに前記ランプピンが前記ランプピン接触部のランプピン係止部に係合し、前記帯状部材の弾性力によって前記ランプピン接触部を前記ランプピンに接触させるようにしたことを特徴とする請求項１記載の蛍光灯ソケット。
【請求項３】
前記接触片を構成する帯状部材の長手方向のほぼ中央部から他方の側をランプピン接触部と同方向にほぼ直角に折り曲げたのち再び帯状部材の面側に折曲げてソケット本体への取付部を形成したことを特徴とする請求項１または２記載の蛍光灯ソケット。
【請求項４】
前記接触片を構成する帯状部材の長手方向の他方の側をランプピン接触部と同方向にほぼ直角に折曲げた第１の折曲げ部と、該第１の折曲げ部に切起しにより形成され先端部が前記帯状部材の面に当接又は近接する第２の折曲げ部とによりソケット本体への取付部を形成したことを特徴とする請求項１または２記載の蛍光灯ソケット。
【請求項５】
前記接触片を構成する帯状部材の長手方向の他方の側の一方の側縁部をランプピン接触部と同方向にほぼ直角に折り曲げた第１の折曲げ部と、該第１の折曲げ部に切起しにより形成され先端部が前記帯状部材の面に当接又は近接する第２の折曲げ部とによりソケット本体への取付部を形成したことを特徴とする請求項１または２記載の蛍光灯ソケット。
【発明の詳細な説明】
【０００１】
【発明の属する技術分野】
本発明は、照明器具に使用する蛍光灯ソケットに係り、より詳しくは、接触部の安定性を確保し、ランプ装着時の操作性を向上させてランプを確実に装着できるようにした蛍光灯ソケットに関するものである。
【０００２】
図１１は例えば特公昭５９ー２４１５８号公報に開示された従来の蛍光灯ソケットの一例を示す分解斜視図、図１２（ａ）は図１１の要部の正面図、図１２（ｂ）は図１２（ａ）の縦断面図である。図において、１は蛍光灯のソケットの本体、２はその裏蓋で、本体１には蛍光灯のランプピンを挿入する穴部３が設けてある。そして、穴部３の内側には一対の接触バネ４，４が設けられ、この接触バネ４，４には対向する側縁の中央部近傍にランプピンが接触する円弧状で斜めに形成された立上り部５，５が設けてある。
【０００３】
蛍光灯のランプピンを本体１の穴部３に挿入して蛍光灯を回動すると、ランプピンは一対の接触バネ４，４に設けられた立上り部５，５の円弧状の曲面に沿って回動され、ランプピンと立上り部５，５の接触位置が本体１の内側方向（後側方向）に向かって移動し、ランプピンと接触バネ４，４が接続して、ソケットにランプが取付けられる。
【０００４】
【発明が解決しようとする課題】
上記のように構成した蛍光灯ソケットによれば、ランプピンの装着時に、ランプピンと接触バネ４，４の立上り部５，５の接触位置が本体１の内側方向に向かって移動するが、この際に、接触バネ４，４との接触圧が大きすぎてランプが装着できなかったり、装着時にランプピンが変形する等の問題があった。
【０００５】
本発明は上記のような課題を解決するためになされたもので、ランプが装着できなかったり、装着時にランプピンが変形したりすることのない、接触部が安定した蛍光灯ソケットを得ることを目的とする。
【０００６】
【課題を解決するための手段】
本発明にかかる蛍光灯ソケットは、次のように構成したものである。
（１）  導電材料からなり、ランプピンと接触してこれを係止するランプピン接触部を有する一対の接触片と、この接触片を収納した本体とを備え、接触片を帯状部材により構成して両接触片の面部同士が対向するように本体内に配設し、それぞれの接触片の面と直交する方向にバネ力を付与して、ランプピン接触部によりランプピンを係止するようにした蛍光灯ソケットであって、接触片を構成する帯状部材の長手方向の一方の側に幅広部を設け、幅広部の両側から帯状部材の面に対してほぼ直角に折り曲げた折り曲げ片を形成し、折曲げ片の長手方向のほぼ中央部であって一対の接触片の面部同士が対向する側に、半円状に切り欠いたランプピン係止部を設けてランプピン接触部を形成し、ランプを回転させて装着するときに、ランプを回転中はランプピンがランプピン接触部を押圧し、ランプを所定位置まで回転させたときにランプピンがランプピン接触部のランプピン係止部に係合し、帯状部材の弾性力によってランプピン接触部をランプピンに接触させるようにしたものである。
【０００８】
（２）  上記（１）の蛍光灯ソケットにおいて、接触片を構成する帯状部材の長手方向の一方の側に幅広部を設け、幅広部を帯状部材の面に対してほぼ直角に折り曲げたのちさらに内側に折り曲げてＬ字状の折曲げ片を形成し、折曲げ片の長手方向のほぼ中央部であって一対の接触片の面部同士が対向する側にランプピン係止部を設けてランプピン接触部を形成し、ランプピン係止部は、折曲げ片の帯状部材の面に対してほぼ直角に折り曲げた部分に設けた半円状の切り欠き部と、さらに内側に折り曲げた部分に設けた切り欠き部に連続する開口部とによって形成され、ランプを回転させて装着するときに、ランプを回転中はランプピンがランプピン接触部を押圧し、ランプを所定位置まで回転させたときにランプピンがランプピン接触部のランプピン係止部に係合し、帯状部材の弾性力によってランプピン接触部をランプピンに接触させるようにしたものである。
【０００９】
（３）  上記（１），（２）記載の蛍光灯ソケットにおいて、接触片を構成する帯状部材の長手方向のほぼ中央部から他方の側をランプピン接触部と同方向にほぼ直角に折り曲げたのち再び帯状部材の面側に折曲げてソケット本体への取付部を形成したものである。
【００１０】
（４）  上記（１），（２）記載の蛍光灯ソケットにおいて、接触片を構成する帯状部材の長手方向の他方の側をランプピン接触部と同方向にほぼ直角に折曲げた第１の折曲げ部と、第１の折曲げ部に切起しにより形成され先端部が帯状部材の面に当接又は近接する第２の折曲げ部とによりソケット本体への取付部を形成したものである。
【００１１】
（５）  上記（１），（２）記載の蛍光灯ソケットにおいて、接触片を構成する帯状部材の長手方向の他方の側の一方の側縁部をランプピン接触部と同方向にほぼ直角に折り曲げた第１の折曲げ部と、第１の折曲げ部に切起しにより形成され先端部が帯状部材の面に当接又は近接する第２の折曲げ部とによりソケット本体への取付部を形成したものである。
【００１２】
【発明の実施の形態】
実施の形態１
図１は本発明の実施の形態１の分解斜視図、図２は図１の組立て状態の正面図、図３は図２の背面図、図４は作用説明図、図５は図１の要部の斜視図である。図において、６は蛍光灯ソケットの本体で、絶縁性の部材によって構成され、側面部６ａ，６ｂと前面部６ｃと上面部６ｄ（天井方向に位置する面部。以下、天井方向を上部方向という）と底面部６ｅ（天井と逆方向に位置する面部。以下、この方向を下部方向という）とからなり、内部は空洞状態になっている。そして、本体６の底面部６ｅはほぼ半円形状に形成され、裏面部は開口されて裏蓋６ｆによって閉じられるようになっている。
【００１３】
７はランプピン８を挿入して回動させるために前面部６ｃの下部に設けた円形穴で、ランプの両側にそれぞれ位置する２本のランプピン８，８の間隔よりもやや大きめに形成されている。９は円形穴７の下方に連接され前面部６ｃの下部から底面部６ｅにかけて細長のＬ字状に形成されたランプピン挿入孔である。
１０は一対の接触片（後述）を収納するために本体６の内部の空洞部に設けた隔壁で、左右の側面部６ａ，６ｂと上面部６ｄに沿って配設した側部隔壁１０ａ，１０ｂと上部隔壁１０ｃ及び上部隔壁１０ｃから内側に突設されたほぼＹ字状の中央隔壁１０ｄとからなり、本体６の前面部６ｃに設けた円形穴７を両側部と上部とから取り囲むようになっている。
【００１４】
そして、上部隔壁１０ｃと中央隔壁１０ｄとの間には左右に一対の嵌合穴１１ａ，１１ｂが設けられ、それぞれに接触片の上部に設けた取付部（後述）が嵌合するようになっている。また、上部隔壁１０ｃと側部隔壁１０ａ，１０ｂにはそれぞれ上部穴１２ｃと側部穴１２ａ，１２ｂが設けられ、裏蓋６ｆを閉じたときに、裏蓋６ｆの内側の上部と側部にそれぞれ設けた上部リブ１３ｃ側部リブ１３ａ，１３ｂが圧入されるようになっている。
【００１５】
１４ａ，１４ｂは本体６の上面部６ｄから上部隔壁１０ｃに貫設された電線挿通穴で、左右に各２個ずつ形成され、接触片の取付部に対応するようになっている。なお、１５ａ，１５ｂは本体６の各側面部６ａ，６ｂの上部近傍に設けた切欠溝である。
【００１６】
１６，１６は本体６の内部に対向して収納された導電性材料からなる一対の接触片で、ランプピン８，８と接触してこれを係止させ、ランプピン８，８を介してランプ３０に電流を供給する。この接触片１６，１６は、図５に示すように、一方の側が幅広に形成された帯状部材１７のほぼ中央部からＶ字状に折曲げられた取付部１８と、他方の側に形成されたランプピン接触部２０とからなっている。
【００１７】
取付部１８は、帯状部材１７の長手方向のほぼ中央部から直角に折曲げられた第１の折曲げ部１８ａと、この第１の折曲げ部１８ａのほぼ中央部から帯状部材１７側に折曲げた第２の折曲げ部１８ｂとからなっている。そして、第２の折曲げ部１８ｂは第１の折曲げ部１８ａに対して鋭角をなすように折曲げられており、その先端部を帯状部材１７の前面部に当接又は近接させて、取付部１８がほぼ直角三角形になるように形成されている。
１９は第１の折曲げ部１８ａの折曲げ基部近傍に設けた一対の電線接続穴で、本体６に設けた各一対の電線挿通穴１４ａ，１４ａから挿通された電線を挿入し、ハンダ付け等により接続する。
【００１８】
また、ランプピン接続部２０は、帯状部材１７の取付部１８と反対側に形成された幅広部の両側を、取付部２０と同方に、かつ帯状部材１７の面とほぼ直角に折曲げた折曲げ片２１ａ，２１ｂによりコ字状に形成したもので、その端縁部は帯状部材１７の面とほぼ平行に形成されて、ランプピン８が滑動するランプピン滑動部２２ａ，２２ｂが設けられている。２３ａ，２３ｂはランプピン滑動部２２ａ，２２ｂの長手方向のほぼ中央部に形成されたランプピン８が嵌合して係止する半円状のランプピン係止部である。
【００１９】
上記のように構成した一対の接触片１６，１６は、それぞれの取付部１８，１８を本体６の嵌合部１１ａ，１１ｂに嵌入して対向配置し、この状態でランプピン接触部２０，２０がそれぞれ前後方向に移動できるようにして本体６に取付けられる。なお、対向配置された両接触片１６，１６のランプピン係止部２３ａ，２３ｂの間隔Ｗ（図３）は、蛍光灯のランプピン８，８の間隔とほぼ等しいか又はこれより若干狭くなっている。
【００２０】
そして、この接触片１６，１６のランプピン接触部２０，２０にはランプピン８，８が係止するが、このとき、取付部１８，１８はほぼ直角三角形状に形成されて接触片１６，１６を支持しているので、ランプピン接触部２０，２０には互いに内側に向かうバネ力が付与されて、接触片１６，１６全体が鎖錠バネとして機能する。
【００２１】
上記のように構成した本実施形態の作用を説明する。まず、装置を組み立てるには、本体６の嵌合穴１１ａ，１１ｂに一対の接触片１６，１６を装着する。装着にあたっては、接触片１６，１６を互いに向かい合うようにして対向配置させ、取付部１８，１８を嵌合穴１１ａ，１１ｂに嵌合させる。そして、本体６の上面部６ａに設けた電線挿通穴１４ａ，１４ｂから電線を挿通し、接触片１６，１６の電線接続穴１９にハンダ着けして接続する。
【００２２】
こうして、一対の接触片１６，１６を取付けてから裏蓋６ｆを本体６の裏面に当接し、本体６に設けた上部穴１２ｃ、側部穴１２ａ，１２ｂに、裏蓋６ｆに設けた上部リブ１３ｃ、側部リブ１３ａ，１３ｂをそれぞれ圧入して、蛍光灯ソケットの組み立てが完了する。
【００２３】
次に、こうして組み立てた蛍光灯ソケットに蛍光灯ランプを取付けるには、まずランプ３０の両端部に位置するランプピン８，８を上下方向に一列に配向させて、両ソケットの本体６，６に設けたランプピン挿入孔９，９から挿入する。こうすると、ランプピン８，８は上下方向に配向した状態でランプピン挿入孔９，９から円形穴７，７に挿入される。
次に、この状態でランプ３０を９０度回動させると、ランプピン８，８は接触片１６，１６のランプピン接触部２０，２０に設けたランプピン滑動部２２ａ，２２ｂに接触し、これに沿って滑動する。
【００２４】
この際、ランプピン８の接触圧によって、ランプピン８，８が回動するに連れてランプピン滑動部２２ａ，２２ｂに力が加わり、それぞれの接触片１６，１６のランプピン接触部２０，２０を外方に弾性変形させる。そして、ランプピン８，８がほぼ９０度回動すると、ランプピン係止部２３ａ，２３ｂに嵌合する。このとき、ランプピン接触部２０，２０は、バネ力によって、常時、接触片１６，１６の対向方向に付勢されているので、２本のランプピン８，８がランプピン係止部２３ａ，２３ｂに係合すると、ランプピン接触部２０，２０はランプピン係止部２３ａ，２３ｂの深さだけ元の位置に戻り、ランプピン８，８に圧着して係止し、蛍光灯の蛍光灯ソケットへの装着を完了する（図４）。
【００２５】
本実施の形態によれば、ランプ３０を回動して蛍光灯ソケット６に係止させるときに、ランプピン接触部２０，２０が前後方向に可動してバネ性を発揮するようにしたので、接触圧が大きくなりすぎることがなく、このため、ランプ３０を装着するときにランプピン８，８が変形することがなく、容易かつ確実に装着することができる。
【００２６】
実施の形態２
図６は本発明の実施の形態２の要部である接触片の斜視図である。本実施の形態に係る接触片１６は、実施の形態１の接触片１６に比べて取付部１８の構造が異なるものである。すなわち、帯状部材１７のランプピン接触部２０と反対側をランプピン接触部２０の折曲げ片２１ａ，２１ｂと同方向に直角に折曲げて第１の折曲げ部１８ａを形成し、この第１の折曲げ部１８ａから切起しにより第２の折曲げ部１８ｂを形成したもので、第２の折曲げ部１８ｂの先端部は、帯状部材１７の前面部に当接又は近接している。なお、電線接続穴１９ａは、第２の折曲げ片１８ｂを切起した切起し穴を利用する。
上記のような本実施の形態のランプピン接触部２０の構造、作用及び効果は、実施の形態１の場合と同様なので説明を省略する。
【００２７】
実施の形態３
図７は本発明の実施の形態３の要部をなす接触片の斜視図である。
本実施の形態は、接触片１６を構成する帯状部材１７のランプピン接触部２０と反対側の一方の側縁部を、折曲げ片２１ａ（又は２１ｂ）と同方向に直角に折曲げて第１の折曲げ部１８ａを形成し、この第１の折曲げ部１８ａから切起しにより第２の折曲げ部１８ｂを形成したもので、その他の構造、作用及び効果は、実施の形態２の場合と同様である。
【００２８】
参考例１
図８は本発明の参考例１の要部をなす接触片の斜視図である。参考例１は、接触片１６のランプピン接触部２０を構成する折曲げ片２１ａ，２１ａの一方（例えば２１ａ）を省略し、他方の折曲げ片２１ｂだけでランプピン接触部２０を構成したものである。
【００２９】
実施の形態４
図９は本発明の実施の形態４の要部をなす接触片の斜視図である。本実施の形態は、実施の形態１の接触片１６のランプピン接触部２０における折曲げ片２１ａ，２１ｂの端縁部を互いに内側（帯状部材１７の面と平行）に折曲げて、対向するＬ字状の折曲げ片２１ａ，２１ｂによりランプピン接触部２０を構成し、帯状部材１７の面と平行な面をランプピン滑動部２２ａ，２２ｂとし、折曲げ片２１ａ，２１ｂとランプピン滑動部２２ａ，２２ｂにランプピン係止部２３ａ，２３ｂを設けたものである。なお、その他の構造、作用及び効果は、実施の形態１の場合とほぼ同様である。
【００３０】
参考例２
図１０は本発明の参考例２の要部をなす接触片の斜視図である。参考例２は、接触片１６のランプピン接触部２０を構成する折曲げ片２１ａ，２１ｂの一方（例えば２１ａ）を省略し、他方の折曲げ片２１ｂだけでランプピン接触部２０を構成したものである。
【００３１】
以上、本発明の実施の形態２〜４の接触片１６について説明したが、本発明に係る接触片１６はこれに限定するものではなく、上述の各種の接触片１６を適宜組合わせて望ましい接触片１６を形成してもよい。
【００３２】
【発明の効果】
以上の説明から明らかなように、本発明によれば、以下に示す効果がある。
（１）  導電材料からなり、ランプピンと接触してこれを係止するランプピン接触部を有する一対の接触片と、この接触片を収納した本体とを備え、接触片を帯状部材により構成して両接触片の面部同士が対向するように本体内に配設し、それぞれの接触片の面と直交する方向にバネ力を付与して、ランプピン接触部により前記ランプピンを係止するようにした蛍光灯ソケットであって、接触片を構成する帯状部材の長手方向の一方の側に幅広部を設け、幅広部の両側から帯状部材の面に対してほぼ直角に折り曲げた折り曲げ片を形成し、折曲げ片の長手方向のほぼ中央部であって一対の接触片の面部同士が対向する側に、半円状に切り欠いたランプピン係止部を設けてランプピン接触部を形成し、ランプを回転させて装着するときに、ランプを回転中はランプピンがランプピン接触部を押圧し、ランプを所定位置まで回転させたときにランプピンがランプピン接触部のランプピン係止部に係合し、帯状部材の弾性力によってランプピン接触部をランプピンに接触させるようにしたので、接触部の安定性が確保され、ランプピン装着時の操作性を向上させて、ランプを容易かつ確実に装着できる。そして、ランプピンが適切な接触圧を保持した状態で円滑に滑動するので、ランプの装着時にランプピンが変形するようなことはない。
【００３４】
（２）  接触片を構成する帯状部材の長手方向の一方の側に幅広部を設け、幅広部を帯状部材の面に対してほぼ直角に折り曲げたのちさらに内側に折り曲げてＬ字状の折曲げ片を形成し、折曲げ片の長手方向のほぼ中央部であって一対の接触片の面部同士が対向する側にランプピン係止部を設けてランプピン接触部を形成し、ランプピン係止部は、折曲げ片の帯状部材の面に対してほぼ直角に折り曲げた部分に設けた半円状の切り欠き部と、さらに内側に折り曲げた部分に設けた切り欠き部に連続する開口部とによって形成され、ランプを回転させて装着するときに、ランプを回転中はランプピンがランプピン接触部を押圧し、ランプを所定位置まで回転させたときにランプピンがランプピン接触部のランプピン係止部に係合し、帯状部材の弾性力によってランプピン接触部をランプピンに接触させるようにしたので、接触部の安定性が確保され、ランプピン装着時の操作性を向上させて、ランプを容易かつ確実に装着できる。そして、ランプピンが適切な接触圧を保持した状態で円滑に滑動するので、ランプの装着時にランプピンが変形するようなことはない。
【００３５】
（３）  接触片を構成する帯状部材の長手方向のほぼ中央部から他方の側をランプピン接触部と同方向にほぼ直角に折り曲げたのち再び帯状部材の面側に折曲げてソケット本体への取付部を形成したので、取付部の形成が容易で、この取付部によって接触片を本体に確実に取付けてバネ性を向上させることができる。そして、接触部の安定性が確保され、ランプピン装着時の操作性を向上させて、ランプを容易かつ確実に装着できる。
【００３６】
（４）  接触片を構成する帯状部材の長手方向の他方の側をランプピン接触部と同方向にほぼ直角に折曲げた第１の折曲げ部と、第１の折曲げ部に切起しにより形成され先端部が帯状部材の面に当接又は近接する第２の折曲げ部とによりソケット本体への取付部を形成したので、取付部の形成が容易で、この取付部によって接触片を本体に確実に取付けてバネ性を向上させることができる。そして、接触部の安定性が確保され、ランプピン装着時の操作性を向上させて、ランプを容易かつ確実に装着できる。
【００３７】
（５）  接触片を構成する帯状部材の長手方向の他方の側の一方の側縁部をランプピン接触部と同方向にほぼ直角に折り曲げた第１の折曲げ部と、第１の折曲げ部に切起しにより形成され先端部が帯状部材の面に当接又は近接する第２の折曲げ部とによりソケット本体への取付部を形成したので、取付部の形成が容易で、この取付部によって接触片を本体に確実に取付けてバネ性を向上させることができる。そして、接触部の安定性が確保され、ランプピン装着時の操作性を向上させて、ランプを容易かつ確実に装着できる。
【図面の簡単な説明】
【図１】  本発明の実施の形態１の分解斜視図である。
【図２】  図１の組立て状態を示す正面図である。
【図３】  図２の背面図である。
【図４】  実施の形態１の作用説明図である。
【図５】  実施の形態１の要部をなす接触片の斜視図である。
【図６】  本発明の実施の形態２の要部をなす接触片の斜視図である。
【図７】  本発明の実施の形態３の要部をなす接触片の斜視図である。
【図８】  本発明の参考例１の接触片の斜視図である。
【図９】  本発明の実施の形態４の要部をなす接触片の斜視図である。
【図１０】本発明の参考例２の接触片の斜視図である。
【図１１】従来の蛍光灯ソケットの一例を示す分解斜視図である。
【図１２】図１１の要部の正面図及び断面図である。
【符号の説明】
６  本体、８  ランプピン、１１ａ，１１ｂ  嵌合穴、１６  接触片、１７  帯状部材、１８  取付部、１８ａ  第１の折曲げ部、１８ｂ  第２の折曲げ部、２０  ランプピン接触部、２１ａ，２１ｂ  折曲げ片、２３ａ，２３ｂ  ランプピン係止部。
【図１】
0004349661.tif 000002
【図２】
0004349661.tif 000003
【図３】
0004349661.tif 000004
【図４】
0004349661.tif 000005
【図５】
0004349661.tif 000006
【図６】
0004349661.tif 000007
【図７】
0004349661.tif 000008
【図８】
0004349661.tif 000009
【図９】
0004349661.tif 000010
【図１０】
0004349661.tif 000011
【図１１】
0004349661.tif 000012
【図１２】
0004349661.tif 000013